(57)【要約】【課題】  床衝撃音の低減及び歩行感の改善を図ることができ、しかも設備費を安価に抑えた床構造を提供する。【解決手段】  この床構造は、床梁(１)と床材(２)との間に、減衰機構を有する液封マウント(３)(３)…と、減衰機構を有しない防振ゴム材(４)(４)…とを併用して介在させて、床材(２)を床梁(１)に対して弾性支持するとともに、液封マウント(３)(３)…の減衰機構を、床材(２)における歩行振動の抑制のために用いている。【選択図】  図１
2006283417.tif 000002
【特許請求の範囲】
【請求項１】
減衰機構を有する第１の弾性支持部材と、減衰機構を有しない第２の弾性支持部材とを併用して、前記第１及び第２の弾性支持部材を床梁と床材との間に介在させて前記床材を前記床梁に対して弾性支持するとともに、前記第１の弾性支持部材の減衰機構を、前記床材における歩行振動の抑制のために用いるようにしたことを特徴とする建物の床構造。
【請求項２】
前記第２の弾性支持部材を、少なくとも床材の壁際に対応させて配置するようにした請求項１記載の建物の床構造。
【請求項３】
前記床梁における外壁や柱等の他部材の固定部位近傍に、前記第１の弾性支持部材よりも短辺の長さを小さくした前記第２の弾性支持部材を取り付けるようにした請求項１又は２記載の建物の床構造。
【請求項４】
前記第２の弾性支持部材の短辺の長さを、床梁の上面における短手方向の横幅の略１／２にし、かつ、前記第２の弾性支持部材の長辺の長さを、床梁の上面における短手方向の横幅と略同一にした請求項１乃至３のいずれかに記載の建物の床構造。
【請求項５】
前記第１の弾性支持部材は、ゴム弾性体と、粘性流体を封入した複数の液室と、これら液室を連通するオリフィス通路とを外装ケース内に設けた液封マウントからなり、そのゴム弾性体の圧縮変形により床衝撃音を低減するとともに、ゴム弾性体の圧縮変形によりオリフィス通路を通って両液室間を移動する粘性流体の作用によって歩行振動を抑制するように構成し、前記第２の弾性支持部材は、防振ゴム材からなる請求項１乃至４のいずれかに記載の建物の床構造。
【請求項６】
前記床材は、複数の床パネルを敷設してなり、それら床パネルの端部を受ける床受部材を、前記第１及び第２の弾性支持部材によって支持するようにした請求項１乃至５のいずれかに記載の建物の床構造。
【請求項７】
前記床パネルは、鉄筋に形鋼を溶接してなる補強部材をコンクリート基材に埋設してなり、その床パネル端下部を切り欠くことによって側方へ張り出した張出部を、前記第１及び第２の弾性支持部材によって支持するようにした請求項１乃至５のいずれかに記載の建物の床構造。
【発明の詳細な説明】
【技術分野】
【０００１】
この発明は、例えば住宅やマンション等の建物の床構造に関する。
【背景技術】
【０００２】
従来の住宅等の床として、床梁の上面に床材を直接載置した構造となっているものがある。しかし、このような床の場合、物が落下したときや子供が飛び跳ねたとき等に発生する床材の床衝撃音が、床梁を介して階下に伝搬し易く、騒音の原因になることが多かった。
【０００３】
このため、床材そのものの重量を重くしたり、床梁や床材の剛性を大きくして、床の防振性能を高めるといった対策が施されていたが、この場合、建物の重量が重くなり、骨組や基礎への影響が大きく、また大幅なコストアップを招くといった不具合があった。
【０００４】
そこで、近年では、例えば特許文献１及び特許文献２に開示されているように、床材と床梁との間に複数の防振ゴムを介在させて、床衝撃音を低減するようにした床構造が提案されている。
【０００５】
また、例えば特許文献３及び特許文献４に開示されているように、床材と床梁との間に減衰機構を有する複数の液封マウントを介在させて、床衝撃音を低減するようにした床構造が提案されている。
【０００６】
【特許文献１】特開２００２−１０６０９９号公報
【特許文献２】特開２００２−２０１７５４号公報
【特許文献３】特開２００４−３２８３号公報
【特許文献４】特開２００４−２１８４１３号公報
【発明の開示】
【発明が解決しようとする課題】
【０００７】
しかしながら、上記のような防振ゴムを使用して床衝撃音を低減した床構造においては、床材を防振ゴムで弾性支持することで、床材が揺れ易くなって、歩行感が悪くなるといった問題があった。
【０００８】
また、液封マウントを使用して床衝撃音を低減した床構造においては、液封マウントが防振ゴムに比べて高価であり、このような液封マウントを数多く使用することで、設備費が高騰するといった問題があった。
【０００９】
しかも、液封マウントにおいて床衝撃音を低減する役目を果たすのは、あくまでもマウント内部に設けたゴム弾性体であり、液封マウントの減衰機構を例えば６３Ｈｚ付近の床衝撃音を低減するためにチューニングしたり、動特性を変化させても、床衝撃音の低減に対してはあまり効果がないことが判明している。従って、液封マウントの減衰機構を、床衝撃音の低減対策として用いている場合には、防振ゴムを用いたときと同様に、床材が揺れ易くなって、歩行感が悪くなるといった問題があった。
【００１０】
そこで、この発明は、上記の不具合を解消して、床衝撃音の低減及び歩行感の改善を図ることができ、しかも設備費を安価に抑えることができる床構造の提供を目的とする。
【課題を解決するための手段】
【００１１】
上記の課題を解決するため、この発明の建物の床構造は、減衰機構を有する第１の弾性支持部材と、減衰機構を有しない第２の弾性支持部材とを併用して、前記第１及び第２の弾性支持部材を床梁と床材との間に介在させて前記床材を前記床梁に対して弾性支持するとともに、前記第１の弾性支持部材の減衰機構を、前記床材における歩行振動の抑制のために用いるようにしたことを特徴とする。
【００１２】
また、前記第２の弾性支持部材を、少なくとも床材の壁際に対応させて配置するようにしている。
【００１３】
さらに、前記床梁における外壁や柱等の他部材の固定部位近傍に、前記第１の弾性支持部材よりも短辺の長さを小さくした前記第２の弾性支持部材を取り付けるようにしている。具体的には、前記第２の弾性支持部材の短辺の長さを、床梁の上面における短手方向の横幅の略１／２にし、かつ、前記第２の弾性支持部材の長辺の長さを、床梁の上面における短手方向の横幅と略同一にしている。
【００１４】
また、前記第１の弾性支持部材は、ゴム弾性体と、粘性流体を封入した複数の液室と、これら液室を連通するオリフィス通路とを外装ケース内に設けた液封マウントからなり、そのゴム弾性体の圧縮変形により床衝撃音を低減するとともに、ゴム弾性体の圧縮変形によりオリフィス通路を通って両液室間を移動する粘性流体の作用によって歩行振動を抑制するように構成し、前記第２の弾性支持部材は、防振ゴム材からなる。
【００１５】
さらにまた、前記床材は、複数の床パネルを敷設してなり、それら床パネルの端部を受ける床受部材を、前記第１及び第２の弾性支持部材によって支持している。
【００１６】
また、前記床パネルは、鉄筋に形鋼を溶接してなる補強部材をコンクリート基材に埋設してなり、その床パネル端下部を切り欠くことによって側方へ張り出した張出部を、前記第１及び第２の弾性支持部材によって支持している。
【発明の効果】
【００１７】
この発明の床構造においては、減衰機構を有する第１の弾性支持部材と、減衰機構を有しない第２の弾性支持部材とを併用しているので、液封マウント等の減衰機構を有する高価な弾性支持部材のみを用いるときと比べて、設備費の低減を図ることができる。
【００１８】
しかも、第１の弾性支持部材の減衰機構を、床材における歩行振動の抑制のために用いているので、床衝撃音の低減だけでなく、歩行感も良好にすることができる。
【００１９】
また、歩行感の悪化を招き易い第２の弾性支持部材を、歩行頻度の少ない床材の壁際に対応させて配置することで、より一層の歩行感の改善を図ることができる。
【００２０】
さらに、床梁における外壁や柱等の他部材の固定部位近傍に、小型化した第２の弾性支持部材を取り付けることで、弾性支持部材の納まりを良好にすることができる。しかも、第２の弾性支持部材の短辺の長さを、床梁の上面における短手方向の横幅の略１／２にし、かつ、第２の弾性支持部材の長辺の長さを、床梁の上面における短手方向の横幅と略同一にすることで、第２の弾性支持部材を床梁の長手方向に対して平行若しくは直交するように配置しても、第２の弾性支持部材が床梁の上面から側方へはみ出すことがない。これにより、大きさの異なる複数の第２の弾性支持部材を用意することなく、第２の弾性支持部材を各種状況に応じて柔軟に納まり良く配置することができ、部材の共通化を図ることができ、よって施工性の向上及びコスト低減を実現することができる。
【００２１】
さらにまた、複数の床パネルの端部を受ける床受部材を弾性支持部材によって支持することで、複数の床パネルを敷設して構成される床材の弾性支持に際して、弾性支持部材の設置個数を減らすことができる。
【００２２】
また、コンクリート基材に補強部材を埋設した床パネルを用いることで、床材自体の遮音性能を高めて、より一層の床衝撃音の低減を図ることができる。しかも、床パネル端下部を切り欠くことによって形成した張出部を第１及び第２の弾性支持部材によって支持することによって、床パネルの高さレベルを抑えることができる。
【発明を実施するための最良の形態】
【００２３】
以下、この発明の実施形態を図面に基づいて詳細に説明する。この発明の一実施形態に係る床構造は、住宅やマンション等の上層階において適用され、図１及び図２に示すように、床梁(１)(１)…と床材(２)との間に、減衰機構を有する複数の第１の弾性支持部材(３)(３)…と、減衰機構を有しない複数の第２の弾性支持部材(４)(４)…とを併用して介在させて、床材(２)を床梁(１)(１)…に対して弾性支持したものである。
【００２４】
床梁(１)(１)…は、Ｈ形鋼からなり、フランジ(５)(６)が上下に互いに平行になるようにして方形枠状に組み付けられている。そして、各梁(１)の上フランジ(５)には、複数のボルト貫通孔(７)(７)…が形成されている。(図７参照)
【００２５】
床材(２)は、複数のＡＬＣからなる床パネル(10)(10)…を敷設することによって構成されている。床パネル(10)は、図３に示すように、平面視長方形状に形成されており、その短手方向に沿った端部中央には、切欠部(11)(11)が夫々形成されている。この切欠部(11)は、床パネル(10)の上面から下面に跨って形成した断面半円状の縦溝(11ａ)と、この縦溝(11ａ)の上端に連続して床パネル(10)の上面に形成した方形状の横溝(11ｂ)とからなる。
【００２６】
第１の弾性支持部材(３)としては、例えば図４に示すような液封マウントが用いられている。
【００２７】
この液封マウント(３)は、外装ケース(15)内に、ゴム弾性体と、粘性流体を封入した複数の液室と、これら液室を連通するオリフィス通路とが設けられている。そして、この液封マウント(３)においては、床パネル(10)(10)…に衝撃が加わると、ゴム弾性体が圧縮変形して床衝撃音を低減するようになっている。しかも、床パネル(10)(10)…に歩行振動が加わると、ゴム弾性体の圧縮変形により各液室の体積が変化することで、粘性液体がオリフィス通路を通って両液室間を移動し、そのときに生じる粘性液体の反力によって歩行振動を減衰するようになっている。すなわち、ゴム弾性体、液室及びオリフィス通路から構成される減衰機構によって、歩行振動を抑制するようになっている。
【００２８】
この液封マウント(３)におけるゴム弾性体のばね定数は、床材(２)における床衝撃音を効果的に低減するように例えば１１００Ｎ／ｍｍに設定されており、また減衰機構は、床材(２)における例えば１５Ｈｚ付近の歩行振動を効果的に抑制するようにチューニングされている。なお、このチューニングは、粘性流体の粘度や、オリフィスの径や長さ等を適宜調整することによってなされている。
【００２９】
そして、この液封マウント(３)は、高さを低く抑えた略短円柱状に形成されており、その平面から見た横幅が、床梁(１)の上フランジ(５)上面の短手方向の横幅と略同じか若しくは若干長くなっている。液封マウント(３)の上面側には、上方へ向けて突出する固定ボルト(16)が取り付けられ、下面側には、下方へ向けて突出する一対の脚ボルト(17)(17)が取り付けられている。
【００３０】
第２の弾性支持部材(４)としては、例えば図５に示すような防振ゴム材が用いられている。この防振ゴム材(４)は、例えば３枚の金属板(20)(20)…をそれらの両端部間に所定の厚みを有するゴム板(21)(21)を介在させた状態で積層してなる。
【００３１】
そして、この防振ゴム材(４)は、平面視略長方形状に形成されていて、その高さは液封マウント(３)よりも低く抑えられている。そして、防振ゴム材(４)の平面から見た短手方向の横幅すなわち短辺の長さが、液封マウント(３)の横幅の略１／２で、床梁(１)の上フランジ(５)上面の短手方向の横幅の略１／２となっており、平面から見た長手方向の長さすなわち長辺の長さが、床梁(１)の上フランジ(５)上面の短手方向の横幅と略同一とされている。
【００３２】
また、防振ゴム材(４)の上側の金属板(20)には、上方へ向けて突出する固定ボルト(22)が取り付けられ、下側の金属板(20)には、下方へ向けて突出する一対の脚ボルト(23)(23)が取り付けられている。
【００３３】
この防振ゴム材(４)のばね定数は、液封マウント(３)のゴム弾性体と同様に、床材(２)における床衝撃音を効果的に低減するように例えば１１００Ｎ／ｍｍに設定されている。
【００３４】
図１は、上記構成の液封マウント(３)(３)…及び防振ゴム材(４)(４)…の配置を示している。液封マウント(３)(３)…は、床衝撃音の低減だけでなく、その減衰機構の減衰付加機能によって床材(２)の歩行感の改善にも利用するため、歩行頻度の多い床材(２)の壁際以外の部位に対応して、中間の縦方向の床梁(１)(１)に例えば約１ｍの間隔をあけて取り付けられている。また、防振ゴム(４)(４)…は、歩行感の悪化を極力招かないようにするために、歩行頻度の少ない床材(２)の壁際部位に対応して、外周の縦方向の床梁(１)(１)に例えば約１ｍの間隔をあけて取り付けられている。これら約１ｍの間隔は、床パネル(10)の短手方向に沿った端部の長さの約２倍に相当する。
【００３５】
具体的に、液封マウント(３)は、図６及び図７に示すように、その脚ボルト(17)(17)を床梁(１)の上フランジ(５)に予め設けてあるボルト貫通孔(７)(７)へ上方から挿通させて、脚ボルト(17)(17)の先端に螺合したナット(18)(18)を締め付けることで、床梁(１)の上フランジ(５)の上面に取り付けられている。
【００３６】
そして、液封マウント(３)(３)…上には、床パネル(10)(10)…の端部を受ける床受部材(30)が床梁(１)の長手方向に沿って取り付けられている。
【００３７】
床受部材(30)は、長手方向に曲げ剛性を高めた形鋼、具体的には溝部が下向きに開口する溝形鋼からなり、そのウエブ(31)には、液封マウント(３)(３)…の固定ボルト(16)(16)…に対応して複数のボルト挿通孔(32)(32)…が長手方向に間隔をあけて形成され、それらボルト挿通孔(32)(32)…間の略中央において床受部材(30)にパネル固定用ボルト(33)(33)…が立設されている。すなわち、床受部材(30)のウエブ(31)には、その長手方向に約０．５ｍの間隔をあけて、ボルト挿通孔(32)(32)…とパネル固定用ボルト(33)(33)…が交互に設けられている。
【００３８】
そして、図８に示すように、液封マウント(３)(３)…の固定ボルト(16)(16)…を、床受部材(30)のボルト挿通孔(32)(32)…に挿通させることによって、床受部材(30)のウエブ(31)の下面が液封マウント(３)(３)…の上面に当接した状態で、床受部材(30)が液封マウント(３)(３)…間に跨って取り付けられている。
【００３９】
一方、防振ゴム材(４)は、図９及び図１０に示すように、床梁(１)の上フランジ(５)に固定した土台スペーサ(25)に、脚ボルト(23)(23)を利用して取り付けられている。この取り付け状態において、防振ゴム材(４)の長辺を床梁(１)の上フランジ(５)の長手方向に沿わせている。
【００４０】
なお、防振ゴム材(４)の長辺を床梁(１)の上フランジ(５)の短手方向に沿わせるようにして、防振ゴム材(４)を配置しても良い。また、防振ゴム材(４)についても、土台スペーサ(25)を介在させることなく、液封マウント(３)と同様に、その脚ボルト(23)(23)を床梁(１)の上フランジ(５)に予め設けてあるボルト貫通孔(７)(７)へ上方から挿通させて、脚ボルト(23)(23)の先端に螺合したナットを締め付けることで、床梁(１)の上フランジ(５)の上面に取り付けるようにしても良い。この場合、液封マウント(３)の高さと略同じ高さを有する防振ゴム材(４)を用いるようにすれば良い。
【００４１】
防振ゴム材(４)を取り付ける床梁(１)は、床材(２)の壁際部位に沿って配置されていて、その上フランジ(５)には外壁の軸組(24)や柱等の他部材も取り付けられており、このような他部材の固定部位近傍はスペース的に狭くなっているが、液封マウント(３)と比べて横幅が小さい防振ゴム材(４)であるからこそ、このような狭小部位においても他部材と干渉することなく取り付けることができる。なお、防振ゴム材(４)は、液封マウント(３)(３)…を取り付けた床梁(１)(１)の両端部にも取り付けられる。
【００４２】
防振ゴム材(４)(４)…上には、床パネル(10)(10)…の端部を受ける外周床受部材(40)が床梁(１)の長手方向に沿って取り付けられている。
【００４３】
外周床受部材(40)は、略Ｌ字形の形鋼からなり、その水平片(41)には、防振ゴム材(４)(４)…の固定ボルト(22)(22)…に対応して複数のボルト挿通孔(42)(42)…が長手方向に間隔をあけて形成されている。
【００４４】
そして、図１１に示すように、防振ゴム材(４)(４)…の固定ボルト(22)(22)…を、外周床受部材(40)のボルト挿通孔(42)(42)…に挿通させて、その固定ボルト(22)(22)…の先端に螺合したナット(43)(43)…を締め付けることによって、外周床受部材(40)が防振ゴム材(４)(４)…の上面間に跨って固定される。なお、中間の縦方向の床梁(１)(１)両端部に取り付けられた防振ゴム材(４)(４)…においては、その固定ボルト(22)(22)…が床受部材(30)のボルト挿通孔(32)(32)…に挿通されて、それら固定ボルト(22)(22)…の先端部にはナットが螺合されている。
【００４５】
そして、図１２及び図１３に示すように、床受部材(30)(30)のウエブ(31)(31)上面及び外周床受部材(40)(40)の水平片(41)(41)上面には、床パネル(10)(10)…の短手方向に沿った端部が夫々載置されて、これら床受部材(30)(30)及び外周床受部材(40)(40)によって床パネル(10)(10)…が支持されている。
【００４６】
この状態において、床受部材(30)(30)のウエブ(31)(31)には、床梁(１)の長手方向と直交する方向に隣接する床パネル(10)(10)の短手方向に沿った端部が対向して載置され、それら切欠部(11)(11)の縦溝(11ａ)(11ａ)が合わさってなる筒状部に、液封マウント(３)の固定ボルト(16)や床受部材(30)のパネル固定用ボルト(33)が挿通された状態となっている。また、防振ゴム材(４)の固定ボルト(22)の先端及びナット(43)は、床梁(１)の長手方向に隣接する床パネル(10)(10)間の隙間に配置されている。
【００４７】
そして、各液封マウント(３)の固定ボルト(16)の先端部及び各パネル固定用ボルト(33)の先端部には、図６及び図１２に示すように、押付部材(50)が取り付けられている。この押付部材(50)は、固定ボルト(16)やパネル固定用ボルト(33)を挿通させた状態で、床梁(１)の長手方向と直交する方向に隣接する床パネル(10)(10)の切欠部(11)(11)の横溝(11ｂ)(11ｂ)に収容されて、床パネル(10)(10)の上面に当接する当接プレート(51)と、固定ボルト(16)の先端部やパネル固定用ボルト(33)の先端部に螺合して当接プレート(51)を下方へ押し込むナット(52)とを備えている。従って、この押付部材(50)によって、床パネル(10)(10)の上面が下方へ向けて押さえ付けられて、床パネル(10)(10)の端部が床受部材(30)に固定されるとともに、床受部材(30)が液封マウント(３)(３)…に固定され、床パネル(10)(10)…同士も床受部材(30)を介して相互に連結される。
【００４８】
また、外周床受部材(40)の水平片(41)に載置された床パネル(10)の端部中央には、ボルト貫通孔(53)が形成されていて、図９及び図１３に示すように、そのボルト貫通孔(53)には固定ボルト(55)が貫通されている。そして、固定ボルト(55)を挿通させた押当プレート(56)を、固定ボルト(55)の先端部に螺合したナット(57)により上方へ押し込むことで、押当プレート(56)が外周床受部材(40)の水平片(41)の下面及び床パネル(10)の下面に跨って押し付けられて、これによって床パネル(10)の端部が外周床受部材(40)に固定され、床パネル(10)(10)…同士も外周床受部材(40)を介して相互に連結される。
【００４９】
このようにして設置した床パネル(10)(10)…の上面すなわち床材(２)の上面には、パーティクルボード(58)やフロア材が敷設される。
【００５０】
上記構成の床構造においては、床材(２)上において物が落下したときや子供が飛び跳ねたとき等には、液封マウント(３)(３)…のゴム弾性体及び防振ゴム材(４)(４)…が弾性変形して、床材(２)から床梁(１)(１)…へ伝搬する床衝撃音を低減することができる。これにより、ＡＬＣからなる床パネル(10)(10)…を敷設してなる床材(２)の遮音性能をＬ６０程度まで下げることができる。
【００５１】
また、床材(２)上を歩行したときには、液封マウント(３)(３)…の減衰機構の作用により、歩行振動を減衰して歩行感を良好にすることができる。
【００５２】
なお、上記実施形態において、液封マウント(３)(３)…は、床梁(１)の長手方向と直交する方向に隣接する床パネル(10)(10)の短手方向の端部中央間に配置していたが、図１４に示すように、隣接する４つの床パネル(10)(10)…の角部が合わさる部分に配置させても良い。この場合、固定ボルト(16)に取り付けた押付部材によって、隣接する４つの床パネル(10)(10)…の角部上面を下方へ向けて押さえ付けることで、これら床パネル(10)(10)…を固定することになる。
【００５３】
図１５及び図１６は、別の実施形態に係る床構造を示している。この床構造に用いる床パネル(60)は、図１７及び図１８に示すように、コンクリート基材(61)に補強部材(62)を埋設することによって構成されている。
【００５４】
コンクリート基材(61)は、平面視長方形状に形成されており、その短手方向に沿った端部中央には、上記ＡＬＣのときと同様の切欠部(11)(11)が形成されている。
【００５５】
補強部材(62)は、例えば複数の棒鋼を格子状に溶接してなるメッシュ鉄筋(63)に、一対のハット形鋼(64)(64)を、それら開口部分が上向きとなるようにして互いに略平行に溶接することによって構成されている。
【００５６】
このようにして構成された補強部材(62)は、そのハット形鋼(64)(64)の凸部(65)(65)をコンクリート基材(61)の下面から突出させるようにして、コンクリート基材(61)に埋設されている。ハット形鋼(64)(64)は、コンクリート基材(61)の長手方向の略全長に亘って配されており、その凸部(65)(65)が床根太として機能するようになっている。
【００５７】
上記の床パネル(60)(60)…を用いた床構造においては、床パネル(60)(60)…がＡＬＣからなる床パネル(10)(10)…よりも重量が重いので、図１９に示すように、液封マウント(３)(３)…及び防振ゴム材(４)(４)…は、約０．５ｍ間隔で配置されている。
【００５８】
液封マウント(３)(３)…及び防振ゴム材(４)(４)…による床パネル(60)(60)…の
弾性支持は、そのハット形鋼(64)(64)の凸部(65)(65)の端部を床受部材(30)や外周床受部材(40)に載置して、外周床受部材(40)側においては押当プレート(56)を外周床受部材(40)の水平片(41)の下面及び床パネル(60)のハット形鋼(64)(64)の凸部(65)(65)下面に跨って押し付ける以外は、上記実施形態と同様になされている。なお、上記実施形態と同様の機能を有する部材については同符号を付してある。
【００５９】
このような床パネル(60)(60)…を用いた床構造においては、床パネル(60)(60)…の曲げ剛性や重量の調整を容易に行って、床材の遮音性能をＬ５５程度まで下げることができる。
【００６０】
図２０及び図２１は、さらに別の実施形態に係る床構造を示している。この床構造に用いる床パネル(70)は、図２２乃至図２４に示すように、コンクリート基材(71)に補強部材(72)を埋設することによって構成されている。
【００６１】
コンクリート基材(71)は、平面視長方形状に形成されており、その短手方向に沿った端部における厚み方向下部側をＬ形に切り欠くことによって、短手方向に沿った端部における厚み方向上部側が側方へ張り出して、張出部(77)(77)が形成されている。また、このコンクリート基材(71)の張出部(77)(77)の上面略中央には、方形状の横溝(78)(78)が夫々形成されている。さらに、コンクリート基材(71)の切欠部分には、張出部(77)(77)を補強するための略Ｌ字形の鋼板製補強片(79)(79)が取り付けられている。
【００６２】
補強部材(72)は、例えば複数の棒鋼を格子状に溶接してなるメッシュ鉄筋(73)に、一対のハット形鋼(74)(74)を、それら開口部分が上向きとなるようにして互いに略平行に溶接することによって構成されている。
【００６３】
このようにして構成された補強部材(72)は、そのハット形鋼(74)(74)の凸部(75)(75)をコンクリート基材(71)の下面から突出させるようにして、コンクリート基材(71)に埋設されている。ハット形鋼(74)(74)は、コンクリート基材(71)の厚み方向下部側における長手方向の略全長に亘って配されており、コンクリート基材(71)の下面から突出した凸部(75)(75)が、床根太として機能するようになっている。
【００６４】
すなわち、ハット形鋼(74)(74)の突出部分である凸部(75)(75)は、コンクリート基材(71)の短手方向に沿った端部から回避した状態となっており、後述する液封マウント(３)や防振ゴム材(４)への載置に際して支障をきたさないようになっている。なお、張出部(77)(77)には、補強部材(72)のメッシュ鉄筋(73)の端部が埋設されて、補強された状態となっている。
【００６５】
上記の床パネル(70)(70)…を用いた床構造においては、床パネル(70)がＡＬＣからなる床パネル(10)よりも重量が重いので、図１９に示すように、液封マウント(３)(３)…及び防振ゴム材(４)(４)…は、例えば約０．５ｍ間隔で配置するのが好ましい。
【００６６】
液封マウント(３)(３)…及び防振ゴム材(４)(４)…による床パネル(70)(70)…の
弾性支持に際しては、各床パネル(70)におけるコンクリート基材(71)の張出部(77)(77)下面を、補強片(79)(79)を介して液封マウント(３)や防振ゴム材(４)の上面に載置して、コンクリート基材(71)の厚み方向下部側及びハット形鋼(74)(74)の凸部(75)(75)を、液封マウント(３)と防振ゴム材(４)との間、又は液封マウント(３)(３)間に落とし込むようにしている。
【００６７】
そして、各液封マウント(３)の固定ボルト(16)が、床梁(１)の長手方向と直交する方向に隣接する床パネル(70)(70)の張出部(77)(77)間の隙間に配され、この固定ボルト(16)の先端部に取り付けた押付部材(50)によって、床パネル(70)(70)の上面が下方へ向けて押さえ付けられて、床パネル(70)(70)の張出部(77)(77)が液封マウント(３)に固定されている。
【００６８】
一方、防振ゴム材(４)の固定ボルト(90)が、補強片(79)のボルト挿通孔(83)及び張出部(77)のボルト貫通孔(53)に挿通されて、固定ボルト(90)を挿通させた当接プレート(84)を床パネル(70)の横溝(78)に収容した状態で、固定ボルト(90)の先端部に螺合したナット(91)によって当接プレート(84)を下方へ押し込むことで、床パネル(70)の張出部(77)が防振ゴム材(４)に固定されている。
【００６９】
なお、その他の構成については、上記実施形態と同様になされており、上記実施形態と同様の機能を有する部材については同符号を付してある。
【００７０】
このような床パネル(70)(70)…を用いた床構造においては、床パネル(70)(70)…の曲げ剛性や重量の調整を容易に行って、床材の遮音性能をＬ５５程度まで下げることができる。しかも、床パネル(70)(70)…の落とし込みにより、床レベルを低く抑えることができる。
【００７１】
この発明は、上記実施形態に限定されるものではなく、この発明の範囲内で上記実施形態に多くの修正及び変更を加え得ることは勿論である。
【図面の簡単な説明】
【００７２】
【図１】この発明の一実施形態に係る床構造における液封マウント及び防振ゴム材の配置例を示す図である。
【図２】同じくその部分斜視図である。
【図３】床パネルの斜視図である。
【図４】液封マウントの斜視図である。
【図５】防振ゴム材の斜視図である。
【図６】床構造の液封マウント付近の縦断面図である。
【図７】床梁への液封マウントの取付状態を示す斜視図である。
【図８】液封マウントへの床受部材の取付状態を示す斜視図である。
【図９】床構造の防振ゴム材付近の縦断面図である。
【図１０】床梁への防振ゴム材の取付状態を示す斜視図である。
【図１１】防振ゴム材への外周床受部材の取付状態を示す斜視図である。
【図１２】床受部材への床パネルの取付状態を示す斜視図である。
【図１３】外周床受部材への床パネルの取付状態を示す斜視図である。
【図１４】液封マウント及び防振ゴム材の他の配置例を示す図である。
【図１５】別の実施形態に係る床構造の液封マウント付近の縦断面図である。
【図１６】同じくその防振ゴム材付近の縦断面図である。
【図１７】同じくその床パネルの斜視図である。
【図１８】同じくその床パネルの縦断面図である。
【図１９】同じくその液封マウント及び防振ゴム材の配置例を示す図である。
【図２０】さらに別の実施形態に係る床構造の液封マウント付近の縦断面図である。
【図２１】同じくその防振ゴム材付近の縦断面図である。
【図２２】同じくその床パネルの斜視図である。
【図２３】同じくその床パネルの縦断面図である。
【図２４】同じくその床パネルの縦断面図である。
【符号の説明】
【００７３】
(１)  床梁
(２)  床材
(３)  第１の弾性支持部材(液封マウント)
(４)  第２の弾性支持部材(防振ゴム材)
(５)  上フランジ
(10)(60)(70)  床パネル
(24)  外壁の軸組
(30)  床受部材
(61)(71)  コンクリート基材
(62)(72)  補強部材
(63)(73)  鉄筋
(64)(74)  形鋼
(77)  張出部
【図１】
2006283417.tif 000003
【図２】
2006283417.tif 000004
【図３】
2006283417.tif 000005
【図４】
2006283417.tif 000006
【図５】
2006283417.tif 000007
【図６】
2006283417.tif 000008
【図７】
2006283417.tif 000009
【図８】
2006283417.tif 000010
【図９】
2006283417.tif 000011
【図１０】
2006283417.tif 000012
【図１１】
2006283417.tif 000013
【図１２】
2006283417.tif 000014
【図１３】
2006283417.tif 000015
【図１４】
2006283417.tif 000016
【図１５】
2006283417.tif 000017
【図１６】
2006283417.tif 000018
【図１７】
2006283417.tif 000019
【図１８】
2006283417.tif 000020
【図１９】
2006283417.tif 000021
【図２０】
2006283417.tif 000022
【図２１】
2006283417.tif 000023
【図２２】
2006283417.tif 000024
【図２３】
2006283417.tif 000025
【図２４】
2006283417.tif 000026